【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
バックグラウンドアプリケーションを管理する方法であって、
前記バックグラウンドアプリケーションの操作に関する特徴が事前設定条件を満足するかどうかを判断する工程であって、前記事前設定条件が、少なくとも事前設定数のバックグラウンドアプリケーションがユーザにより閉じられることと、モバイル装置内で実行中の少なくとも１つのバックグラウンドアプリケーションが存在することとを含み、前記事前設定数のバックグラウンドアプリケーションが事前設定操作条件を満足する、工程と、
前記バックグラウンドアプリケーションの前記操作に関する特徴が前記事前設定条件を満足すると判断される場合に、前記ユーザが前記バックグラウンドアプリケーションを閉じるための操作インターフェースを前記モバイル装置のフォアグラウンドインターフェース内に表示する工程と
を含む方法。
【請求項２】
前記事前設定操作条件は、以下：
前記事前設定数のバックグラウンドアプリケーションがほぼ同時に閉じられること、
前記事前設定数のバックグラウンドアプリケーションが許容時間内に閉じられること、および
前記事前設定数のバックグラウンドアプリケーションが連続的に閉じられ、かつ２つの連続閉鎖操作間の時間間隔が許容時間間隔未満であること
のうちの少なくとも１つを含む、請求項１に記載の方法。
【請求項３】
前記事前設定条件は、以下：
前記バックグラウンドアプリケーションのアイドル期間が事前設定時間閾値より長いこと、
前記バックグラウンドアプリケーションが事前設定期間内で実行されていること、
前記バックグラウンドアプリケーションの操作環境が事前設定環境パラメータ要件と一致しないこと、および
前記バックグラウンドアプリケーションの使用頻度が事前設定頻度閾値未満であることのうちの少なくとも１つを含む、請求項１に記載の方法。
【請求項４】
前記アイドル期間中、前記バックグラウンドアプリケーションに関連付けられたいかなるユーザ操作またはデータ更新も行われない、請求項３に記載の方法。
【請求項５】
複数のバックグラウンドアプリケーションのそれぞれが前記事前設定条件を満足することを判断する工程をさらに含み、前記操作インターフェースは、前記ユーザが前記複数のバックグラウンドアプリケーションを閉じるための選択肢を含む、請求項１に記載の方法。
【請求項６】
前記バックグラウンドアプリケーションに関連付けられた以前の閉鎖操作をキャンセルする要求を受信する工程と、
前記モバイル装置内の前記バックグラウンドアプリケーションを再開する工程と
をさらに含む、請求項１に記載の方法。
【請求項７】
前記要求は前記モバイル装置の揺動操作によりトリガされる、請求項６に記載の方法。
【請求項８】
前記操作インターフェースは、前記ユーザが前記バックグラウンドアプリケーションを閉じるための選択可能要素を含む、請求項１に記載の方法。
【請求項９】
前記操作インターフェースは、前記フォアグラウンドインターフェースのステータスバーに含まれるプロンプトアイコンを含み、前記プロンプトアイコンが選択されると、ウィンドウが前記フォアグラウンドインターフェース内に表示され、前記ウィンドウは、前記ユーザが前記アプリケーションを閉じるための選択可能要素を含む、請求項１に記載の方法。
【請求項１０】
バックグラウンドアプリケーションを管理する装置であって、
前記バックグラウンドアプリケーションの操作に関する特徴が事前設定条件を満足するかどうかを判断するように構成された判断部であって、前記判断部は、少なくとも事前設定数のバックグラウンドアプリケーションが前記ユーザにより閉じられるかどうかと、モバイル装置内で実行中の少なくとも１つのバックグラウンドアプリケーションが存在するかどうかとを判断するように構成され、前記事前設定数のバックグラウンドアプリケーションが事前設定操作条件を満足する、判断部と、
前記バックグラウンドアプリケーションの前記操作に関する特徴が前記事前設定条件を満足すると判断される場合に、前記ユーザが前記バックグラウンドアプリケーションを閉じるための操作インターフェースを前記モバイル装置のフォアグラウンドインターフェース内に表示するように構成された通知部と
を含む装置。
【請求項１１】
前記事前設定操作条件は、以下：
前記事前設定数のバックグラウンドアプリケーションがほぼ同時に閉じられること、
前記事前設定数のバックグラウンドアプリケーションが許容時間内に閉じられること、および
前記事前設定数のバックグラウンドアプリケーションが連続的に閉じられ、かつ２つの連続閉鎖操作間の時間間隔が許容時間間隔未満であること
のうちの少なくとも１つを含む、請求項１０に記載の装置。
【請求項１２】
前記事前設定条件は、以下：
前記バックグラウンドアプリケーションのアイドル期間が事前設定時間閾値より長いこと、
前記バックグラウンドアプリケーションが事前設定期間内で実行されていること、
前記バックグラウンドアプリケーションの操作環境が事前設定環境パラメータ要件と一致しないこと、および
前記バックグラウンドアプリケーションの使用頻度が事前設定頻度閾値未満であることのうちの少なくとも１つを含む、請求項１０に記載の装置。
【請求項１３】
前記アイドル期間中、前記バックグラウンドアプリケーションに関連付けられたいかなるユーザ操作またはデータ更新も行われない、請求項１２に記載の装置。
【請求項１４】
前記判断部は、複数のバックグラウンドアプリケーションのそれぞれが前記事前設定条件を満足することを判断するようにさらに構成され、前記操作インターフェースは、前記ユーザが前記複数のバックグラウンドアプリケーションを閉じるための選択肢を含む、請求項１０に記載の装置。
【請求項１５】
前記バックグラウンドアプリケーションに関連付けられた以前の閉鎖操作をキャンセル
する要求を受信するように構成された受信ユニットと、
前記モバイル装置内の前記バックグラウンドアプリケーションを再開するように構成された操作キャンセル部と
をさらに含む、請求項１０に記載の装置。
【請求項１６】
前記要求は前記モバイル装置の揺動操作によりトリガされる、請求項１５に記載の装置。
【請求項１７】
前記操作インターフェースは、前記ユーザが前記バックグラウンドアプリケーションを閉じるための選択可能要素を含む、請求項１０に記載の装置。
【請求項１８】
前記操作インターフェースは、前記フォアグラウンドインターフェースのステータスバーに含まれるプロンプトアイコンを含み、および前記プロンプトアイコンが選択されると、ウィンドウが前記フォアグラウンドインターフェース内に表示され、前記ウィンドウは、前記ユーザが前記アプリケーションを閉じるための選択可能要素を含む、請求項１０に記載の装置。
【請求項１９】
命令の組を記憶する非一時的コンピュータ可読媒体であって、前記命令の組は、装置の少なくとも１つのプロセッサによって、前記装置にバックグラウンドアプリケーションを管理する方法を実行させるように、実行可能であり、前記方法は、
前記バックグラウンドアプリケーションの操作に関する特徴が事前設定条件を満足するかどうかを判断する工程であって、前記事前設定条件が、少なくとも事前設定数のバックグラウンドアプリケーションがユーザにより閉じられることと、モバイル装置内で実行中の少なくとも１つのバックグラウンドアプリケーションが存在することとを含み、前記事前設定数のバックグラウンドアプリケーションが事前設定操作条件を満足する、工程と、
前記バックグラウンドアプリケーションの前記操作に関する特徴が前記事前設定条件を満足すると判断される場合に、前記ユーザが前記バックグラウンドアプリケーションを閉じるための操作インターフェースを前記モバイル装置のフォアグラウンドインターフェース内に表示する工程と
を含む、非一時的コンピュータ可読媒体。
【請求項２０】
前記事前設定操作条件は、以下：
前記事前設定数のバックグラウンドアプリケーションがほぼ同時に閉じられること、
前記事前設定数のバックグラウンドアプリケーションが許容時間内に閉じられること、および
前記事前設定数のバックグラウンドアプリケーションが連続的に閉じられ、かつ２つの連続閉鎖操作間の時間間隔が許容時間間隔未満であること
のうちの少なくとも１つを含む、請求項１９に記載の非一時的コンピュータ可読媒体。
【請求項２１】
前記装置の前記少なくとも１つのプロセッサによって実行可能な前記命令の組は、前記装置に、
複数のバックグラウンドアプリケーションのそれぞれが前記事前設定条件を満足することを判断する工程をさらに実行させ、前記操作インターフェースは、前記ユーザが前記複数のバックグラウンドアプリケーションを閉じるための選択肢を含む、請求項１９に記載の非一時的コンピュータ可読媒体。
【請求項２２】
前記装置の前記少なくとも１つのプロセッサによって実行可能な前記命令の組は、前記装置に、
前記バックグラウンドアプリケーションに関連付けられた以前の閉鎖操作をキャンセルする要求を受信する工程と、
前記モバイル装置内の前記バックグラウンドアプリケーションを再開する工程と
をさらに実行させる、請求項１９に記載の非一時的コンピュータ可読媒体。
【請求項２３】
前記要求は前記モバイル装置の揺動操作によりトリガされる、請求項２２に記載の非一時的コンピュータ可読媒体。
【請求項２４】
前記操作インターフェースは、前記ユーザが前記バックグラウンドアプリケーションを閉じるための選択可能要素を含む、請求項１９に記載の非一時的コンピュータ可読媒体。
【請求項２５】
前記操作インターフェースは、前記フォアグラウンドインターフェースのステータスバーに含まれるプロンプトアイコンを含み、前記プロンプトアイコンが選択されると、ウィンドウが前記フォアグラウンドインターフェース内に表示され、前記ウィンドウは、前記ユーザが前記アプリケーションを閉じるための選択可能要素を含む、請求項１９に記載の非一時的コンピュータ可読媒体。
【請求項２６】
バックグラウンドアプリケーションを管理する装置であって、
命令の組を記憶するメモリと、
前記メモリに通信可能に接続する１または複数のプロセッサとを備え、
前記１または複数のプロセッサは、前記装置に、
バックグラウンドアプリケーションの操作に関する特徴が事前設定条件を満足するかどうかを判断する工程であって、前記事前設定条件が、少なくとも事前設定数のバックグラウンドアプリケーションがユーザにより閉じられることと、モバイル装置内で実行中の少なくとも１つのバックグラウンドアプリケーションが存在することとを含み、前記事前設定数のバックグラウンドアプリケーションが事前設定操作条件を満足する、工程と、
前記バックグラウンドアプリケーションの前記操作に関する特徴が前記事前設定条件を満足すると判断される場合に、前記ユーザが前記バックグラウンドアプリケーションを閉じるための操作インターフェースを前記モバイル装置のフォアグラウンドインターフェース内に表示する工程と、
を実行させるように、前記命令の組を実行するように構成される、装置。
【請求項２７】
前記事前設定操作条件は、以下：
前記事前設定数のバックグラウンドアプリケーションがほぼ同時に閉じられること、
前記事前設定数のバックグラウンドアプリケーションが許容時間内に閉じられること、および
前記事前設定数のバックグラウンドアプリケーションが連続的に閉じられ、かつ２つの連続閉鎖操作間の時間間隔が許容時間間隔未満であること
のうちの少なくとも１つを含む、請求項２６に記載の装置。
【請求項２８】
前記１つまたは複数のプロセッサは、前記装置に、
複数のバックグラウンドアプリケーションのそれぞれが前記事前設定条件を満足することを判断する工程をさらに実行させるように、前記命令の組を実行するように構成され、前記操作インターフェースは、前記ユーザが前記複数のバックグラウンドアプリケーションを閉じるための選択肢を含む、請求項２６に記載の装置。
【請求項２９】
前記１つまたは複数のプロセッサは、前記装置に、
前記バックグラウンドアプリケーションに関連付けられた以前の閉鎖操作をキャンセルする要求を受信する工程と、
前記モバイル装置内の前記バックグラウンドアプリケーションを再開する工程と
をさらに実行させるように、前記命令の組を実行するように構成される、請求項２６に記載の装置。
【請求項３０】
前記要求は前記モバイル装置の揺動操作によりトリガされる、請求項２９に記載の装置。
【請求項３１】
前記操作インターフェースは、前記ユーザが前記バックグラウンドアプリケーションを閉じるための選択可能要素を含む、請求項２６に記載の装置。
【請求項３２】
前記操作インターフェースは、前記フォアグラウンドインターフェースのステータスバーに含まれるプロンプトアイコンを含み、前記プロンプトアイコンが選択されると、ウィンドウが前記フォアグラウンドインターフェース内に表示され、前記ウィンドウは、前記ユーザが前記アプリケーションを閉じるための選択可能要素を含む、請求項２６に記載の装置。